(57)【特許請求の範囲】
【請求項１】
手動により巻き上げレバーを操作して、パーフォレーションを有しないフィルムを巻き上げ可能なフィルム巻き上げ手動式カメラにおいて、
フィルムの給送に伴ってパルスを発生するパルス発生手段と、
カメラボディに開閉可能に設けられた裏蓋の開閉を検出する裏蓋開閉検出手段と、
裏蓋を閉めてから少なくとも１回は巻き上げレバーを操作開始位置から操作停止位置まで最大移動量操作して前記フィルムを巻き上げることにより、パルス発生手段に基づき発生するパルスの個数をカウントしてフィルムの有無を判断するフィルム有無判断手段とを備えているフィルム巻き上げ手動式カメラ。
【請求項２】
手動により巻き上げレバーを操作して、パーフォレーションを有しないフィルムを巻き上げ可能なフィルム巻き上げ手動式カメラにおいて、
フィルムの給送に伴ってパルスを発生するパルス発生手段と、
カメラボディに開閉可能に設けられた裏蓋の開閉を検出する裏蓋開閉検出手段と、
前記裏蓋を閉めてから前記巻き上げレバーを操作停止位置まで２回操作する間に前記パルス発生手段に基づき発生するパルスの個数をカウントしてフィルムの有無を判断するフィルム有無判断手段とを備えているフィルム巻き上げ手動式カメラ。
【請求項３】
前記フィルム有無検出手段は、裏蓋を閉めた後に前記巻き上げレバーが最初に前記操作停止位置まで操作された後に発生するパルスについて計数動作を行ってフィルムの有無判断動作を行うことを特徴とする請求項２に記載のフィルム巻き上げ手動式カメラ。
【請求項４】
前記フィルム有無検出手段によりフィルムがないと判断されたときには、フィルム係止を行わずにレリーズの許可を可能とする請求項１ないし３のいずれかに記載のフィルム巻き上げ手動式カメラ。
【請求項５】
前記フィルム有無検出手段によりフィルムがないと判断されたときにパルス発生手段の作動を禁止するパルス発生禁止手段が設けられている請求項１ないし３のいずれかに記載のフィルム巻き上げ手動式カメラ。
【請求項６】
前記フィルム有無検出手段によりフィルムがあると判断されたときは、フィルムの１駒目がアパーチャに位置されるまで巻き上げレバーによるフィルムの巻き上げを可能とし、かつ、フィルムの１駒目がアパーチャに位置されるまでレリーズを禁止するレリーズ禁止手段が設けられていることを特徴とする請求項１ないし３のいずれかに記載のフィルム巻き上げ手動式カメラ。
【請求項７】
前記裏蓋開閉検知手段により前記裏蓋が開いている判断されたときには、前記巻き上げレバーによる巻き上げを可能とし、かつ、シャッタレリーズ動作が禁止されていることを特徴とする請求項１ないし３のいずれかに記載のフィルム巻き上げ手動式カメラ。
【発明の詳細な説明】
【０００１】
【発明の属する技術分野】
本発明は、手動により巻き上げレバーを操作して、パーフォレーションのないブローニー版のフィルムを１駒づつ巻き上げ可能なフィルム巻き上げ手動式カメラの改良に関する。
【０００２】
【従来の技術】
従来から、手動により巻き上げレバーを操作して、パーフォレーションのないブローニー版のフィルムを１駒づつ巻き上げ可能なフィルム巻き上げ手動式カメラが知られている。
【０００３】
この従来のフィルム巻き上げ手動式カメラでは、裏蓋を開けてフィルムをカメラにセットし、巻き上げレバーの巻き上げ操作を複数回繰り返すことによりカメラボディに形成された位置決め指標に、フィルムの裏紙に形成されたスタートマークを位置させ、その後、裏蓋を閉じて、巻き上げレバーを規定回数巻き上げ操作してアパーチャーにフィルムの１駒目を位置させていた。
【０００４】
【発明が解決しようとする課題】
ところで、この従来のブローニー版フィルムを用いたフィルム巻き上げ手動式カメラでは、フィルムがカメラボディにセットされているか否かを検出する機構がなく、シャッターの駆動動作のみを行わせる動作（いわゆる空シャッター動作あるいは空レリーズ動作）を行う場合、まず、ダミーのフィルムをスプールに装填して裏蓋を閉じた後、フィルム巻き上げ動作も伴いながらレリーズボタンを操作してシャッターを駆動させたり、あるいは、カメラ側に空シャッター動作を可能にするための機構を設け、所定の操作を行った後、空シャッター動作をさせていた。
【０００５】
しかしながら、前者の場合は、いちいちダミーのフィルムを装填しなければならず、後者の場合は、専用の操作部材の操作を行わなければならず、いずれの場合も、空シャッター動作を行う場合にカメラの操作が非常に煩わしいという問題がある。
【０００６】
そこで、フィルムが装填されているかいないかを機械的に検出するために、フィルム有無検知スイッチをカメラボディに設けることが考えられるが、スプールに設けられているフィルム押さえレバーによってフィルムの有無を検出する構成とすると、径の異なるフィルムが装填されたときに、フィルム有無の検出を確実に行うことができず、また、カメラボディのアパーチャの近傍にフィルム有無検出スイッチを設ける構成とすると、構造が複雑となってコストがアップし、フィルムの有無をメカニカルに検出するのは限界がある。
【０００７】
また、フィルムを装填していないときでも、空撮影を行うことができるようにするのが望ましく、このような場合には、カメラが自動的に判断して、レリーズを行うことができるようにすることが使い勝ってのうえで便利である。
【０００８】
本発明は、上記観点から為されたもので、その目的とするところは、機械的なフィルム有無検出スイッチを専用に設けなくともソフトウエア的にフィルム有無を検出することのできるフィルム巻き上げ手動式カメラを提供することにある。
【０００９】
【課題を解決するための手段】
本発明の請求項１に記載のフィルム巻き上げ手動式カメラは、手動により巻き上げレバーを操作して、パーフォレーションを有しないフィルムを巻き上げ可能なフィルム巻き上げ手動式カメラにおいて、
フィルムの給送に伴ってパルスを発生するパルス発生手段と、
カメラボディに開閉可能に設けられた裏蓋の開閉を検出する裏蓋開閉検出手段と、
前記裏蓋を閉めてから少なくとも１回は巻き上げレバーを操作開始位置から操作停止位置まで最大移動量操作して前記フィルムを巻き上げることにより、パルス発生手段に基づき発生するパルスの個数をカウントしてフィルムの有無を判断するフィルム有無判断手段とを備えていることを特徴とする。
【００１０】
本発明の請求項２に記載のフィルム巻き上げ手動式カメラは、手動により巻き上げレバーを操作して、パーフォレーションを有しないフィルムを巻き上げ可能なフィルム巻き上げ手動式カメラにおいて、
フィルムの給送に伴ってパルスを発生するパルス発生手段と、
カメラボディに開閉可能に設けられた裏蓋の開閉を検出する裏蓋開閉検出手段と、
前記裏蓋を閉めてから前記巻き上げレバーを操作停止位置まで２回操作する間に前記パルス発生手段に基づき発生するパルスの個数をカウントしてフィルムの有無を判断するフィルム有無判断手段とを備えていることを特徴とする。
【００１１】
本発明の請求項３に記載のフィルム巻き上げ手動式カメラは、請求項２に記載の発明において、前記フィルム有無検出手段が、裏蓋を閉めた後に前記巻き上げレバーが最初に前記操作停止位置まで操作された後に発生するパルスについて計数動作を行ってフィルムの有無判断動作を行うことを特徴とする。
【００１２】
本発明の請求項４に記載のフィルム巻き上げ手動式カメラは、前記フィルム有無検出手段によりフィルムがないと判断されたときには、フィルム係止を行わずにレリーズの許可を可能とすることを特徴とする。
【００１３】
本発明の請求項５に記載のフィルム巻き上げ手動式カメラは、前記フィルム有無検出手段によりフィルムがないと判断されたときにパルス発生手段の作動を禁止するパルス発生禁止手段が設けられていることを特徴とする。
【００１４】
本発明の請求項６に記載のフィルム巻き上げ手動式カメラは、前記フィルム有無検出手段によりフィルムがあると判断されたときは、フィルムの１駒分がアパーチャに位置されるまで巻き上げレバーによるフィルムの巻き上げを可能とし、かつ、フィルムの１駒分がアパーチャに位置されるまでレリーズを禁止するレリーズ禁止手段が設けられていることを特徴とする。
【００１５】
本発明の請求項７に記載のフィルム巻き上げ手動式カメラは、前記裏蓋開閉検知手段により前記裏蓋が開いている判断されたときには、前記巻き上げレバーによる巻き上げを可能とし、かつ、シャッタレリーズ動作が禁止されていることを特徴とする。
【００１６】
【発明の実施の形態】
図１は本発明に係るフィルム巻き上げ手動式カメラの平面図で、１はカメラボディ、２は巻き上げレバー、３はシャッター速度設定ダイヤル、４はシャッターボタン、５はメインスイッチ、６はカメラボディ１に対して開閉可能の裏蓋、７は外部ＬＣＤである。
【００１７】
カメラボディ１には裏蓋６の開閉の有無を検出する裏蓋開閉検出手段としての裏蓋開閉検出スイッチＳＷが設けられると共に、巻き上げレバー２の回動位置に対応させて予備角スイッチＳＷ１、巻き上げ完了スイッチＳＷ３が設けられている。
【００１８】
予備角スイッチＳＷ１は巻き上げレバー２が操作開始位置としての収納位置（０度から１０度の範囲）にあるときにはオフであり、１０度位置から１８０度回動位置にあるときはオンとなる。巻き上げ完了スイッチＳＷ３は、シャッター後幕が走行するとオンとなり、シャッターチャージが完了するとオフとなる。
【００１９】
カメラボディ１内には、図２に示すＣＰＵ８が設けられている。ＣＰＵ８には電源回路９により電源が供給され、発振子１０のクロック信号、絞り連係部材１１を介して図示を略す撮影レンズからの絞り情報（ＡＶボリューム情報）、パルス発生手段１２からのパルスが入力されると共に、ＥＥＰＲＯＭ１３から撮影に関係する全データが入力される。
【００２０】
そのＣＰＵ８にはメインスイッチ５、裏蓋開閉検出スイッチＳＷ、予備角スイッチＳＷ１、巻き上げ完了スイッチＳＷ３、シャッターボタン４の操作によってオンする測光スイッチＳＷ４、レリーズスイッチＳＷ６、その他のスイッチＳＷ７のスイッチ情報が入力される。
【００２１】
ＣＰＵ８は後述する制御フローに従ってカメラの動作制御を実行し、カメラの動作状態に応じてファインダー内照明用ＬＥＤ１４の点灯信号、ファインダー内ＬＣＤ１５への表示情報、外部ＬＣＤ７への表示情報、レリーズマグネットＭｇ１、フィルム係止マグネットＭｇ２、シャッター先幕走行用マグネットＥＳＭｇ１、シャッター後幕走行用マグネットＥＳＭｇ２、巻き上げロック解除マグネットＭｇ３への制御情報を出力する他、６分割測光ＩＣ１６を駆動制御して測光情報Ｂｖを読み取るようになっている。
【００２２】
巻き上げレバー２は図３に示すように歯車ラチェット機構１７、電磁クラッチギヤ１８、歯車機構１９を介してスプール２０に連結されている。フィルム２２はスプール２１に設けられ、フィルム２２の先端をスプール２０に係止させることにより、スプール２１とスプール２０との間に掛け渡されている。また、ＣＰＵ８はダウンカウンタ２３、メモリ２４との間で情報の授受を行う。
【００２３】
次に、制御フローを参照しつつ、本発明に係るフィルム巻き上げ式カメラの作動を説明する。説明の便宜上、最初に、カメラボディ１の裏蓋６が開けられており、フィルム２２がカメラボディ１にセットされている状態を説明する。
【００２４】
メインスイッチ５をオンすると、図４に示すように、ＣＰＵ８は、メインフロー処理に入り、まず、ＲＡＭをクリアすると共に（Ｓ．１）、レジスタの初期化を実行し（Ｓ．２）、ＥＥＰＲＯＭ１３から全データの読み込みを行い（Ｓ．３）、メインフローの実行間隔時間としてのインターバル時間を１２５ｍｓにセットし（Ｓ．４）、各種スイッチＳＷ、ＳＷ１、ＳＷ３〜ＳＷ７の状態信号を取り込んで（Ｓ．５）、各スイッチの状態に基づいてそのスイッチ状態に対応する操作処理を行う（Ｓ．６）。
【００２５】
次に、ＣＰＵ８は測光スイッチＳＷ４がオンされたか否かを判断し（Ｓ．７）、測光スイッチＳＷ４がオフ（ノーＮ）の場合、フィルム給送移行チェック処理を行う（Ｓ．８）。
【００２６】
フィルム給送移行チェック処理とは、メインフローの実行中に巻き上げレバーが操作されてフィルム給送状態に入っているか否かを判断する処理である。
【００２７】
フィルム給送には、裏蓋６を開けた状態でフィルム２２をセットし、裏紙に形成されたスタートマークがアパーチャに形成されている位置決め指標に一致するまでフィルムを給送する処理、裏蓋６を閉じてから１駒目のフィルムをアパーチャに位置させるまでフィルムを給送する頭出し処理、撮影を実行後にフィルム２２を１駒づつ巻き上げるワインド処理、定められた枚数の撮影終了後にフィルム２２をスプール２０に巻き取るための巻き取り処理、巻き取り処理実行後の空巻き処理、フィルム２２をセットせずに裏蓋６を開けた状態での空巻きを可能にするための空巻き処理、フィルム２２をセットせずに裏蓋６を閉じた状態での空巻きの実行を可能にするための空巻き処理がある。
【００２８】
以下、これらの処理を場合分けして説明を行う。
（１）裏蓋６を開けてフィルム２２をスプール２１、２０に掛け渡して、位置決め指標にスタートマークが一致するまでフィルムを給送する場合
説明の便宜のため、現在巻き上げレバー２は収納位置にあり、巻き上げ完了スイッチは最初はオンしているものとする。すなわち、シャッター走行が完了していて、未チャージ状態とする。
【００２９】
メインフローのＳ．８のフィルム給送移行チェック処理では、図５に示すようにＣＰＵ８は予備角スイッチＳＷ１がオフであるか否かをまず判断する（Ｓ．１０１）。巻き上げレバー２が収納位置にあるときは予備角スイッチＳＷ１はオフであるので、そのままメインフローにリターンし、Ｓ．９のボディ状態チェック処理に移行するが、ボディ状態移行チェック処理については後述することにし、先にフィルム給送移行チェック処理について説明する。
【００３０】
Ｓ．１０１において、巻き上げレバー２が操作されて、予備角スイッチＳＷ１がオンすると、Ｓ．１０２に移行して頭出し中フラグが「１」であるか否かが判断される。Ｓ．１０２においてノー（Ｎ）のときはＳ．１０３に移行して巻き取り中フラグが「１」であるか否かが判断され、Ｓ．１０３においてノーのときはＳ．１０４に移行して巻き取り完了フラグが「１」であるか否かが判断され、Ｓ．１０４においてノーのときはＳ．１０５に移行して裏蓋開フラグが「１」であるか否かが判断され、Ｓ．１０５においてノーのときはＳ．１０６に移行して巻き上げ完了スイッチＳＷ３がオンであるか否かが判断され、Ｓ．１０６においてノーのときはメインフローにリターンしてＳ．９のボディ状態チェック処理に移行し、Ｓ．１０２〜Ｓ．１０５の各処理において各フラグが「１」にセットされているか又はＳ．１０６で巻き上げ完了スイッチＳＷ３がオンのときは、Ｓ．１０７に移行して後述するフィルム給送処理を実行した後、メインフローにリターンしてＳ．９のボディ状態チェック処理に移行する。
【００３１】
ボディ状態チェック処理とは、カメラボディ１が現在どのような状態にあるか否かを判断するための処理である。
【００３２】
ボディ状態チェック処理では、まず、図６に示すように、裏蓋スイッチＳＷが開か否かを判断する（Ｓ．２０１）。ここでは、裏蓋スイッチＳＷが開であるので、Ｓ．２０２に移行し、フィルム駒数をクリアする。すなわち、フィルム表示が空白になる。
【００３３】
次に、ＣＰＵ８はボディ状態フラグを全てクリアする（Ｓ．２０３）。ここで、ボディ状態フラグとは、裏蓋開フラグ、頭出しフラグ、巻き取り中フラグ、巻き取り完了フラグ、フィルムなしフラグ、ワインドフラグ、巻き上げ途中フラグの総称をいう。
【００３４】
そして、ＣＰＵ８は裏蓋開フラグを「１」にセットして（Ｓ．２０４）、パルスカウント終了フラグ、レバー１巻き有りフラグをクリアする（Ｓ．２０５、Ｓ．２０６）。
【００３５】
次に、ＣＰＵ８はＳ．２１０に移行して最終撮影枚数か否かを判断する。Ｓ．２１０においてノーのとき、ＣＰＵ８はＳ．２１４に移行して予備角スイッチＳＷ１がオフであるか否かを判断する。巻き上げレバー２が収納位置にあるとき、ＣＰＵ８はＳ．２１４においてイエス（Ｙ）と判断して、Ｓ．２１５に移行して前回予備角スイッチＳＷ１がオフか否かを判断する。
【００３６】
前回の予備角スイッチＳＷ１がオフのとき、Ｓ．２１５においてイエスと判断し、Ｓ．２１６をジャンプしてＳ．２１７に移行し、パルスカウント終了フラグをクリアする。前回の予備角スイッチＳＷ１がオンのときは巻き上げロック解除許可フラグをセットしてＳ．２１７に移行する。前回の予備角スイッチＳＷ１がオンで今回の予備角スイッチＳＷ１がオフであるので、巻き上げレバー２の操作が行われたと判断し、巻き上げロックの解除を行うためである。
【００３７】
巻き上げレバー２が途中にあるときは、Ｓ．２１５〜Ｓ．２１７の処理をジャンプしてＳ．２１８に移行する。
【００３８】
Ｓ．２１８では、ＣＰＵ８は巻き上げ完了スイッチＳＷ３がオンであるか否かを判断する。巻き上げ完了スイッチＳＷ３がオンのときにはＳ．２１９に移行して前回の巻き上げ完了スイッチＳＷ３がオンであるか否かを判断する。Ｓ．２１８で巻き上げ完了スイッチＳＷ３がオフのときにはＳ．２２１に移行して再度巻き上げ完了スイッチＳＷ３がオンであるか否かを判断する。
【００３９】
巻き上げレバー２は、図示を略す所定位置に当接して、それ以上は巻き上げレバー２の回動が不可能な操作停止位置が規定されており、シャッターのチャージ動作は巻き上げレバー２を収納位置（操作開始位置）から操作停止位置まで最大角度回動させた（最大移動量移動させた）場合に完了するようになっている。
【００４０】
巻き上げ完了スイッチＳＷ３はシャッターチャージ完了状態でオフ、それ以外の状態ではオンするスイッチであり、巻き上げレバー２が操作停止位置に達すると、シャッターチャージが完了してオフする。すなわち、巻き上げ完了スイッチＳＷ３がオフであることは、巻き上げレバー２が操作停止位置に達するまで操作されたことを意味し、ＣＰＵ８は予備角スイッチＳＷ１及び巻き上げ完了スイッチＳＷ３の状態に基づいて巻き上げレバー２が操作開始位置から操作停止位置まで最大移動量操作されたことを検出する。
【００４１】
Ｓ．２１９においてノーのときには巻き上げロック解除許可フラグをセットして（Ｓ．２２０）、Ｓ．２２１に移行し、Ｓ．２１９においてイエスのときにはＳ．２２０をジャンプしてＳ．２２１に移行する。
【００４２】
Ｓ．２１８、Ｓ．２２１のルートは、レリーズ処理が実行される前の状態に対応し、Ｓ．２１８、Ｓ．２１９、Ｓ．２２１のルートはレリーズ処理実行後巻き上げ前の状態に対応し、Ｓ．２１８〜Ｓ．２２１のルートは今回巻き上げ完了スイッチＳＷ３がオンで前回巻き上げ完了スイッチＳＷ３がオフであるのでレリーズ処理実行直後の状態に対応し、巻き上げロックを解除して巻き上げを可能にするためである。
【００４３】
Ｓ．２２１においては、巻き上げ完了スイッチＳＷ３がオンであるか否かを再度判断する。Ｓ．２２１においてノーのときはＳ．２２２において予備角スイッチＳＷ１がオフであるか否かを判断し、予備角スイッチＳＷ１がオフのときはＳ．２２３に移行してレリーズ許可フラグを「１」にセットした後、Ｓ．２２４に移行する。Ｓ．２２１においてイエスのときはＳ．２２２、Ｓ．２２３をジャンプしてＳ．２２４に移行し、Ｓ．２２２においてノーのときはＳ．２２３をジャンプしてＳ．２２４に移行する。
【００４４】
Ｓ．２２１、Ｓ．２２４のルートはレリーズ実行後まだ巻き上げレバー２の操作が為されていない状態に対応し、Ｓ．２２１、Ｓ．２２２、Ｓ．２２４のルートは巻き上げレバー２は操作されたがまだ収納位置に戻っていない状態に対応し、Ｓ．２２１〜Ｓ．２２４のルートは巻き上げレバー２の巻き上げによりシャッターチャージが為され、巻き上げレバー２が収納位置に戻った状態に対応し、これによりレリーズ許可フラグをセットするためである。
【００４５】
Ｓ．２２４においては、頭出し中フラグが「１」であるか否かを判断する。Ｓ．２２４においてノーのときはＳ．２２５に移行して巻き取り中フラグが「１」であるか否かを判断する。Ｓ．２２５においてノーのときはＳ．２２６に移行して巻き取り完了フラグが「１」であるか否かを判断する。Ｓ．２２６においてノーのときはＳ．２２７に移行して裏蓋開フラグが「１」であるか否かを判断する。Ｓ．２２７においてノーのときはＳ．２２９に移行して巻き上げロック解除許可フラグが「１」であるか否かを判断する。
【００４６】
Ｓ．２２４〜Ｓ．２２７において、各フラグが「１」のときはＳ．２２８に移行してレリーズ許可フラグをクリアした後、Ｓ．２２９に移行する。これは、裏蓋６が開けられている間、フィルム頭出し中の間、フィルム巻き取り中の間、レリーズ処理を禁止するためである。
【００４７】
Ｓ．２２９において、イエスのときはＳ．２３０に移行してレリーズ許可フラグが「１」であるか否かを判断し、Ｓ．２３０においてノーのときはＳ．２３１に移行して予備角スイッチＳＷ１がオフか否かを判断し、Ｓ．２３１においてイエスのときはＳ．２３２に移行して巻き上げロック解除許可フラグをクリアした後、巻き上げロック解除処理を行って（Ｓ．２３３）、メインフローにリターンする。
【００４８】
Ｓ．２２９においてノーのときはＳ．２３０〜Ｓ．２３３をジャンプしてメインフローにリターンし、Ｓ．２３０においてイエスのときはＳ．２３１〜Ｓ．２３３をジャンプしてメインフローにリターンし、Ｓ．２３１においてノーのときはＳ．２３２、Ｓ．２３３をジャンプしてメインフローにリターンする。
【００４９】
Ｓ．２２９〜Ｓ．２３３のルートは、巻き上げロックの解除処理を意味し、Ｓ．２３０においてイエスのときにＳ．２３１〜Ｓ．２３３をジャンプするのは、いったん巻き上げてレリーズが許可されているので、二重巻き上げを防止するためであり、Ｓ．２３１においてノーのときにＳ．２３２、Ｓ．２３３の処理をジャンプするのは巻き上げレバー２が収納位置にないときに巻き上げロック解除処理を行うことにするとメカニカルな作動に支障が生じるからである。Ｓ．２２９において、ノーのときにそのままメインフローにリターンするのは、巻き上げロックを解除する必要がないからである。
【００５０】
裏蓋６を開けた状態では、裏蓋開フラグは「１」であり、レリーズ許可フラグはクリアされ、巻き上げレバー２が収納位置にあるときには予備角スイッチＳＷ１はオフであるので、巻き上げロック解除許可フラグがクリアされ、巻き上げロック解除処理を行った後、メインフローにリターンする。
【００５１】
この巻き上げロック解除処理により巻き上げロック解除マグネットＭｇ３に通電され、巻き上げレバー２による巻き上げが可能となる。
【００５２】
次に、ＣＰＵ８は図４に示すＳ．１０の表示処理を実行し、この表示処理実行後、Ｓ．１１においてスリープモード割り込み復帰条件設定処理を行った後、スリープモードに入る（Ｓ．１２）。節電のためである。
【００５３】
そして、測光スイッチ、レリーズスイッチ、予備角スイッチＳＷ１がオンするか又はインターバル時間経過後、スリープモードを抜け出して、フィルム給送移行チェック処理に移行する（Ｓ．１３）。Ｓ．１３のフィルム給送移行チェック処理では、Ｓ．８のフィルム給送移行チェック処理と同様の処理を行う。
【００５４】
Ｓ．８、Ｓ．１３のフィルム給送移行処理において、予備角ＳＷ１がオンで裏蓋６が開けられていると、Ｓ．１０７のフィルム給送処理に移行する。
【００５５】
フィルム給送処理とはカメラのボディ状態に応じてフィルム給送を選択する処理である。
【００５６】
フィルム給送処理では、図７に示すようにＳ３０１において、最初にパルスカウント終了フラグがクリアされ、Ｓ．３０２に移行して裏蓋開フラグが「１」であるか否かが判断される。Ｓ．３０２においてノーのときはＳ．３０３に移行して頭出しフラグが「１」であるか否かが判断され、Ｓ．３０３においてノーのときはＳ．３０４に移行してフィルムなしフラグが「１」であるか否かが判断され、Ｓ．３０４においてノーのときはＳ．３０５に移行してワインドフラグが「１」であるか否かが判断され、Ｓ．３０５においてノーのときはＳ．３０６に移行して巻き取り中フラグが「１」であるか否かが判断され、Ｓ．３０６においてノーのときはＳ．３０７に移行して巻き取り完了フラグが「１」であるか否かが判断され、Ｓ．３０７においてノーのときはＳ．３０８に移行してパルス発生手段１２としてのフィルムインターラプタをオフしてフィルム移行チェック処理に戻ってからメインフローに戻る。
【００５７】
Ｓ．３０２においてイエスのときにはＳ．３０９に移行して空巻き処理を実行し、Ｓ．３０３においてイエスのときはＳ．３１０に移行して頭出し処理を実行し、Ｓ．３０４においてイエスのときはＳ．３１１に移行して空巻き処理を実行し、Ｓ．３０５においてイエスのときはＳ．３１２に移行してワインド処理を実行し、Ｓ．３０６においてイエスのときはＳ．３１３に移行して巻き取り処理を実行し、Ｓ．３０７においてイエスのときはＳ．３１４に移行して空巻き処理を実行し、これらの処理を実行した後、フィルムインターラプタをオフしてフィルム移行チェック処理に戻ってからメインフローに戻る（Ｓ．３０８）。
【００５８】
ここで、裏蓋６を開けたままで、巻き上げレバー２の操作を行っているので、Ｓ．３０２においてイエスと判断され、Ｓ．３０９の空巻き処理に移行する。
【００５９】
空巻き処理では、図８に示すように、まず、ＣＰＵ８はＳ．１００１において１２５ｍｓタイマーをスタートさせ、次に予備角スイッチＳＷ１がオフであるか否かを判断する（Ｓ．１００２）。ここで、１２５ｍｓタイマーは１２５ｍｓ毎に表示処理を実行するために用いられる。
【００６０】
巻き上げレバー２が収納位置以外の位置（１０度から１８０度の範囲の位置）にあるときには、Ｓ．１００２においてノーと判断され、Ｓ．１００４に移行する。Ｓ．１００４においては１２５ｍｓが経過したか否かが判断され、１２５ｍｓが経過するまでは、Ｓ．１００２、Ｓ．１００４の処理を実行し、１２５ｍｓが経過すると、再度１２５ｍｓタイマーをスタートさせた後（Ｓ．１００５）、ＣＰＵ８にスイッチ状態を入力し（Ｓ．１００６）、スイッチ操作処理を行った後（Ｓ．１００７）、表示処理を行って（Ｓ．１００８）、Ｓ．１００２に戻る。
【００６１】
ＣＰＵ８は巻き上げレバー２が収納位置に戻るまでの間、１２５ｍｓ毎にＳ．１００５〜Ｓ．１００８の処理を実行する。
【００６２】
巻き上げレバー２が収納位置に戻ると、Ｓ．１００２においてイエスと判断され、Ｓ．１００３に移行して巻き上げ完了スイッチＳＷ３がオフであるか否かを判断する。Ｓ．１００３においてノーのときにはＳ．１００４に移行し、Ｓ．１００３においてイエスのときはＳ．３０８の処理を行ってメインフローにリターンする。
【００６３】
裏蓋６を開けた状態のとき、ボディ状態チェック処理に入ると、Ｓ．２１４、Ｓ．２１５、Ｓ．２１６を経由して巻き上げロック解除許可フラグがセットされているので、巻き上げレバー２を最大角度まで巻き上げて収納位置に戻す動作を繰り返すとフィルムが給送され、これにより、フィルム２２の裏紙に印刷されているスタートマークを位置決め指標に合わせることができる。この場合、いったんＳ．２２３でセットされたレリーズ許可フラグがＳ．２２８でクリアされるので、シャッターリレーズは禁止される。これにより、位置決め指標に合わせるまでフィルムを送る動作の際において、不本意な露光が防止できる。
（２）頭出し処理
ＣＰＵ８はメインフローの実行中に、Ｓ．９のボディ状態チェック処理に入ると、図６に示すようにＳ．２０１に移行して、裏蓋開閉検出スイッチＳＷの状態を判断する。裏蓋６が閉じられると、Ｓ．２０１においてノーと判断され、Ｓ．２０７に移行して前回裏蓋スイッチＳＷが開であったか否かを判断する。前回裏蓋スイッチＳＷが開のとき、Ｓ．２０８に移行してボディ状態フラグが全てクリアされ、Ｓ．２０９に移行して頭出しフラグが「１」にセットされ、Ｓ．２１０に移行してその後の処理を実行する。前回も裏蓋６が閉じられているときは、Ｓ．２０８、Ｓ．２０９をジャンプしてＳ．２１０に移行して、その後の処理を実行する。
【００６４】
Ｓ．２１０以降の処理においては、頭出し中フラグが「１」にセットされているので、Ｓ．２２８においてレリーズ許可フラグがクリアされ、従って、頭出し処理中にもレリーズが禁止される。
【００６５】
メインフローに戻っての処理実行中に、Ｓ．８、Ｓ．１３のフィルム給送移行チェック処理に入り、巻き上げレバー２の操作により、予備角スイッチＳＷ１がオンすると、図５のＳ．１０２においてイエスと判断されて、Ｓ．１０７のフィルム給送処理に入り、図７のＳ．３０３でイエスと判断されて、Ｓ．３１０の頭出し処理が実行される。
【００６６】
頭出し処理では、図９に示すようにＳ．４０１においてフィルムパルスエラーフラグをクリアし、次にフィルムインターラプタをオンさせ（Ｓ．４０２）、次に、Ｓ．４０３において、巻き上げ途中フラグが「１」であるか否かを判断する。なお、フィルムパルスエラーフラグは、巻き上げ動作途中で巻き上げレバーが放置されたまま、メイン処理のＳ．１２でスリープモードに入った場合などにセットされるフラグである。
【００６７】
この巻き上げ途中フラグは１回の巻き上げレバー２の操作により頭出しの設定に必要な個数の頭出しパルス数、又はフィルムを１駒給送するのに必要なワイドパルス数がカウントされていないときにセットされる。
【００６８】
ＣＰＵ８は、頭出し処理に入った直後には、巻き上げ途中フラグがクリアされているので、Ｓ．４０３においてノーと判断し、Ｓ．４０４に移行してダウンカウンタ２３に頭出しパルス数（約フィルム４駒分の移動量に対応したパルス数）を設定し、次に、１２５ｍｓタイマーをスタートさせ（Ｓ．４０６）、Ｓ．４０７に移行して予備角スイッチＳＷ１がオフか否かを判断する。
【００６９】
巻き上げレバー２を巻き上げ操作して収納位置に戻るまでの間は、予備角スイッチＳＷ１はオンであるので、Ｓ．４０７においてノーと判断されて、Ｓ．４０９に移行する。Ｓ．４０９のフィルムパルスカウントチェック処理では、まず、図１０に示すようにＳ．２００１でパルスカウント終了フラグが「１」か否かを判断する。
【００７０】
巻き上げの最初は、パルスカウント終了フラグはクリアされているので、Ｓ．２００１においてノーと判断され、次に、Ｓ．２００２に移行してダウンカウンタ２３が「０」か否かを判断する。Ｓ．２００１においてパルスカウント終了フラグがセットされているときは、そのまま頭出し処理フローのＳ．４１０にリターンする。
【００７１】
巻き上げレバー２の操作によるフィルムの走行に基づきパルスが発生されて、ダウンカウンタ２３の数値が徐々に減少するが、ダウンカウンタ２３の内容はすぐには「０」にならないので、Ｓ．２００２において、ノーと判断されて、頭出し処理のＳ．４１０にリターンする。Ｓ．２００２において、ダウンカウンタ２３の内容が「０」のときはＳ．２００３に移行してパルスカウント終了フラグを「１」にセットしてＳ．２００４に移行し、フィルムインターラプタをオフし、Ｓ．２００５においてフィルム係止処理を行った後、Ｓ．２００６においてフィルム駒数をカウントアップした後、頭出し処理のＳ．４１０にリターンする。
【００７２】
Ｓ．２００１、Ｓ．２００２のルートを経由して頭出し処理のＳ．４１０へのリターンはフィルムの１駒目がまだアパーチャに位置していない場合に対応し、Ｓ．２００１〜Ｓ．２００６のルートを経由してのＳ．４１０へのリターンは頭出しパルス数分のパルスがカウントされてフィルム２２の１駒目がアパーチャに位置された場合に対応する。
【００７３】
Ｓ．４１０では、ＣＰＵ８は１２５ｍｓが経過したか否かを判断する。ＣＰＵ８は１２５ｍｓ経過前にはＳ．４０７、Ｓ．４０９、Ｓ．４１０の処理を繰り返し、１２５ｍｓ経過すると、１２５ｍｓタイマーを再度スタートさせ（Ｓ．４１１）、ＣＰＵ８は各種スイッチ状態信号を取り込んで（Ｓ．４１２）、各スイッチ状態に対応する操作処理を実行し（Ｓ．４１３）、次に、表示処理を実行した後（Ｓ．４１４）、Ｓ．４０７に戻る。Ｓ．４０７において予備角スイッチＳＷ１がオフするとＳ．４０８に移行して巻き上げ完了スイッチＳＷ３がオフであるか否かを判断する。
【００７４】
一度、巻き上げレバー２を最大角度まで巻き上げると、シャッターチャージが為されると共に、巻き上げ完了スイッチＳＷ３がオフされる。なお、巻き上げ完了スイッチＳＷ３がもともとオフのときはオフのままである。
【００７５】
巻き上げレバー２が収納位置に戻ると、Ｓ．４０７においてイエスと判断され、Ｓ．４０８に移行して巻き上げ完了スイッチＳＷ３がオフか否かが判断され、Ｓ．４０８においてイエスのときはＳ．４１５に移行する。従って、Ｓ．４０７〜Ｓ．４１５のルートは巻き上げレバー２の１回の巻き上げに相当する。
【００７６】
Ｓ．４１５においてパルスカウント終了フラグがクリアされているときは、ノーと判断され、Ｓ．４１６に移行して巻き上げ途中フラグをセットし、Ｓ．４１７に移行してダウンカウンタ２３に残っている数値がメモリ２４にいったん記憶される。
【００７７】
次に、ＣＰＵ８はＳ．４１８に移行してレバー１巻きありフラグが立っているか否かを判断する。レバー１巻きフラグが「１」にセットされたことは、裏蓋６が閉じられてから最初の巻き上げ動作が為されたことを意味する。
【００７８】
巻き上げレバー２が収納位置から停止位置までの最大角度（すなわち、巻き上げレバー２の操作可能な最大移動量分）まで移動操作されたか否かの判別は、Ｓ．４０７、Ｓ．４０８の処理により行われ、Ｓ．４１５に移行する段階のときに、すなわち、予備角スイッチＳＷ１及び巻き上げ完了スイッチＳＷ３が共にオフの状態（巻き上げレバー２が収納位置から一旦最大停止位置まで移動操作された後、再び収納位置にまで戻された状態）のときに、巻き上げレバー２による巻き上げが「１巻きあり」と認識される。
【００７９】
ところで、裏蓋６を閉めた直後の状態のときに巻き上げレバー２が途中位置にある可能性があるので、裏蓋６を閉めた後の最初の巻き上げ動作による予備角スイッチＳＷ１のオフ及び巻き上げ完了スイッチＳＷ３のオフという条件をそのまま用いて、巻き上げレバー２の操作開始位置から操作停止位置までの最大移動量操作であると判断することはできない。
【００８０】
そこで、この発明の実施の形態では、裏蓋６を閉めた直後には、図６のＳ．２０６において、レバー１巻き有りフラグがクリアされており、裏蓋６を閉めた後の最初（第１回目）の巻き上げレバー２の操作によりこのＳ．４１８の処理に至ったときに、必ずＳ．４２４に移行してレバー１巻きフラグを「１」にセットした後、頭出し処理を一旦抜け出て、第２回目の巻き上げレバー２の操作により再度Ｓ．４１８に至ったときに初めてＳ．４１９へ移行できるようにして、巻き上げレバー２の途中位置から操作停止位置までの巻き上げ動作時に生じるパルス数によりフィルム有無を判断しないようにしている。
【００８１】
すなわち、この発明の実施の形態では、裏蓋６を閉めてから巻き上げレバー２を前記操作停止位置まで２回操作する間において、裏蓋６を閉めて最初に巻き上げレバー２が操作停止位置に到達するまでの巻き上げ動作で発生するパルスは無視し、その後の２回目に巻き上げレバー２が操作停止位置に到達するまでの巻き上げ動作で生じるパルスの数を計数してフィルム有無の判別を行うようにしている。
【００８２】
ＣＰＵ８は、Ｓ．４１９において規定個数以上のパルスが発生したか否かを判断する。Ｓ．４１９においてノーの場合、Ｓ．４２０においてボディ状態フラグを全てクリアし、次に、Ｓ．４２１に移行してフィルムなしフラグを「１」にセットして、「フィルム無し」と判断する。
【００８３】
言い換えると、第２回目以降の巻き上げ動作においては、巻き上げレバー２による巻き上げが確実に操作開始位置から始まる巻き上げ動作により、Ｓ．４１９〜Ｓ．４２１の処理を実行することによりフィルムの有無を判断するようにしており、裏蓋６を閉めた直後の最初の巻き上げレバー２の操作を第１回目の操作と判断し、第１回目の巻き上げレバー２の操作の場合には、Ｓ．４１９〜Ｓ．４２１の処理をジャンプさせることにより、フィルム２２がカメラボディ１に装填されているか否かの判断をしないようにして、フィルム２２の装填の検出精度を高めるようにしている。
【００８４】
フィルム２２がセットされているときには、頭出し中に巻き上げレバー２の１〜２回の操作で、ダウンカウンタ２３の内容が「０」にならないので、この頭出し処理フローが複数回繰り返され、この頭出し処理の実行中にフィルムパルスカウントチェック処理に入り、ダウンカウンタ２３の内容が「０」になると、頭出しパルス数分の個数のパルスがカウントされたとして、Ｓ．２００３において、パルスカウント終了フラグをセットし、フィルムインターラプタをオフし、フィルム係止処理を行って、フィルム駒数をカウントアップする（Ｓ．２００４、Ｓ．２００５、Ｓ．２００６）。
【００８５】
そのフィルム係止処理により、巻き上げレバー２による巻き上げ途中でも電磁クラッチギヤ１８がオフされ、巻き上げレバー２の駆動力が断たれると共に、フィルム係止マグネットＭｇ２に通電されてスプール２０をロックすることにより、フィルム２２の位置が固定される。
【００８６】
従って、図１３（ａ）に示すように、頭出しの最初では、巻き上げレバー２を巻き上げると、予備角スイッチＳＷ１がオンしてから最大角度まで巻き上げる間パルスが発生し、巻き上げレバー２によりシャッターチャージが為されると、巻き上げ完了スイッチＳＷ３がオフし、巻き上げレバー２を収納位置に戻すと、巻き上げロックマグネットＭｇ３に通電されて巻き上げロックが解除される。次に、頭出し処理の終わりでは、巻き上げレバー２の巻き上げにより、図１３（ｂ）に示すように、頭出しパルス数分のパルスがカウントされると、フィルム係止マグネットＭｇ２に通電されてスプール２０が係止され、フィルム２２の位置が固定される。
【００８７】
また、頭出し処理フローのＳ．４１５において、パルスカウント終了フラグが「１」であるのでイエスと判断されて、Ｓ．４２２、Ｓ．４２３に移行して、ボディ状態フラグを全てクリアした後、ワインドフラグを「１」にセットしてメフィルム給送処理にリターンする。
【００８８】
ボディ状態チェック処理から頭出し処理に入ると、フィルムがセットされているときには、頭出し処理完了後、フィルムの駒数が「１」と表示され、また、シャッターのチャージが為されてレリーズが許可され、巻き上げレバー２の巻き上げロックがかかった状態となる。
【００８９】
メインフローに戻って、Ｓ．４〜Ｓ．１３の処理実行中に、測光スイッチがオンされると、図４に示すようにＳ．７においてイエスと判断されて、Ｓ．１４に移行してパワーホールドタイマーがセットされる。次に、ＣＰＵ８はＳ．１５に移行してスイッチ状態信号を取り込み、それに対応するスイッチ操作処理を行って（Ｓ．１６）、Ｓ．１７で輝度情報（Ｂｖ）を取り込み  、次にＳ．１８に移行して絞り情報（ＡＶＶＲ）を取り込んで、これらの情報により測光演算処理を行い（Ｓ．１９）、Ｓ．２０のボディ状態チェック処理に入る。
【００９０】
このボディ状態チェック処理を抜け出ると、ＣＰＵ８は次に輝度情報、絞り情報等に基づきＳ．２１において表示処理を実行し、Ｓ．２２のフィルム給送移行チェック処理に移行する。巻き上げレバー２を操作しないときは、このフィルム給送移行チェック処理をすぐに抜け出てＳ．２３に移行し、レリーズ許可フラグが「１」にセットされているか否かを判断する。
【００９１】
Ｓ．２３においてイエスのときは、Ｓ．２４に移行してレリーズスイッチがオンされているか否かを判断し、Ｓ．２４においてイエスのときはレリーズ処理を行うと共にレリーズ許可フラグをクリアし、Ｓ．２６に移行してパルスカウント終了フラグをクリアして、Ｓ．２７に移行して、パワーホールドタイマーのカウント内容を減算し、Ｓ．２８に移行してパワーホールドタイマーのカウント内容が「０」か否かを判断する。
【００９２】
Ｓ．２８においてイエスのときは、Ｓ．４に戻り、ノーのときはＳ．１５に戻り、この処理を繰り返す。Ｓ．２３においてノーのときはレリーズを禁止するため、Ｓ．２４〜Ｓ２６の処理をジャンプしてＳ．２７に移行し、Ｓ．２４においてノーのときはレリーズ処理を禁止するため、Ｓ．２５、Ｓ．２６の処理をジャンプしてＳ．２７移行する。
【００９３】
Ｓ．２３〜Ｓ．２６のルートは撮影実行に対応し、これによりシャッター幕が走行されて、巻き上げ完了スイッチＳＷ３がオンされると共に、フィルム係止処理が解除される。
【００９４】
このメインフローの実行中に、図６のボディ状態チェック処理に入ると、Ｓ．２１８で今回巻き上げ完了スイッチＳＷ３がオンと判断されてＳ．２１９に移行し、Ｓ．２１９では前回巻き上げ完了スイッチＳＷ３がオフであったのでイエスと判断されて巻き上げロック解除許可フラグがセットされる。
【００９５】
次に、Ｓ．２２１では巻き上げ完了スイッチＳＷ３がオンであるので、Ｓ．２２２、Ｓ．２２３の処理をジャンプしてＳ．２２４に移行するため、レリーズ許可フラグのセットが禁止される。
【００９６】
そして、Ｓ．２２４〜Ｓ．２２７の処理を行った後、Ｓ．２２９に移行して巻き上げロック解除許可フラグが「１」であるか否かが判断される。Ｓ．２２９においてはイエスと判断されて、Ｓ．２３０に移行し、Ｓ．２３０ではノーと判断されてＳ．２３１〜Ｓ．２３３の処理を行ってメインフローに戻る。
【００９７】
これにより、巻き上げロック解除処理が行われて巻き上げレバー２の巻き上げが可能となる。
（３）ワインド処理
レリーズ後に、メインフローの実行中に巻き上げレバー２を操作すると、図５のフィルム給送移行チェック処理のＳ．１０６においてイエスと判断され、Ｓ．１０７に移行してフィルム給送処理が行われる。
【００９８】
このフィルム給送処理では、図７のＳ．３０５に入ると、イエスと判断されて、Ｓ．３１２に移行してワインド処理が実行される。
【００９９】
ワインド処理では、図１１に示すように、まず、Ｓ．３００１でフィルムパルスエラーフラグをクリアし、次にフィルムインターラプタをオンさせ（Ｓ．３００２）、次に、Ｓ．３００３において、巻き上げ途中フラグが「１」であるか否かを判断する。この巻き上げ途中フラグは巻き上げレバー２の一巻きでワインドパルス数（１駒分の給送により発生する基準パルス数）に達しなかったときにセットされる。
【０１００】
ＣＰＵ８は、ワインド処理に入った直後には、巻き上げ途中フラグがクリアされているので、Ｓ．３００３においてノーと判断し、Ｓ．３００４に移行して、ダウンカウンタ２３にワインドパルス数を設定し、次に、１２５ｍｓタイマーをスタートさせ（Ｓ．３００６）、Ｓ．３００７に移行して予備角スイッチＳＷ１がオフか否かを判断する。
【０１０１】
巻き上げレバー２を巻き上げ操作して収納位置に戻るまでの間は、Ｓ．３００７においてノーと判断されて、Ｓ．３００９に移行する。Ｓ．３００９のフィルムパルスカウントチェック処理では、図１０に示すようにまず、Ｓ．２００１でパルスカウント終了フラグが「１」か否かを判断する。
【０１０２】
巻き上げの最初では、パルスカウント終了フラグはクリアされているので、Ｓ．２００１においてノーと判断され、次に、Ｓ．２００２に移行してダウンカウンタ２３の内容が「０」か否かを判断する。Ｓ．２００１においてパルスカウント終了フラグがセットされているときは、そのままワインド処理フローのＳ．３０１０にリターンする。
【０１０３】
巻き上げレバー２の操作によるフィルムの走行に基づきパルスが発生されて、ダウンカウンタ２３の数値が徐々に減少するが、ダウンカウンタ２３の内容はすぐには「０」にならないので、Ｓ．２００２において、ノーと判断されて、ワインド処理のＳ．３０１０にリターンする。Ｓ．２００３において、ダウンカウンタ２３の内容が「０」のときはＳ．２００３に移行してパルスカウント終了フラグを「１」にセットしてＳ．２００４に移行し、フィルムインターラプタをオフし、Ｓ．２００５においてフィルム係止処理を行った後、Ｓ．２００６においてフィルム駒数をカウントアップした後、ワインド処理のＳ．３０１０にリターンする。
【０１０４】
Ｓ．２００１、Ｓ．２００２のルートを経由してワインド処理のＳ．３０１０へのリターンは巻き上げ途中に対応し、Ｓ．２００１〜Ｓ．２００６のルートを経由してのＳ．３０１０へのリターンは巻き上げレバー２の収納位置から最大角度位置までの間にワインドパルス数がカウントされて１駒分のフィルムがアパーチャに位置された場合に対応する。
【０１０５】
Ｓ．３０１０〜Ｓ．３０１４の処理はＳ．４１０〜Ｓ．４１４の処理と実質的に同じであるので、その詳細な説明は省略する。
【０１０６】
巻き上げレバー２が収納位置に戻ると、Ｓ．３００７においてイエスと判断され、Ｓ．３００８に移行して巻き上げ完了スイッチＳＷ３がオフか否かが判断され、Ｓ．３００８においてイエスのときはＳ．３０１５に移行する。従って、Ｓ．３００７〜Ｓ．３０１５のルートは巻き上げレバー２のレリーズ後の１回の巻き上げに相当する。
【０１０７】
Ｓ．３０１５においてパルスカウント終了フラグがクリアされているときは、ノーと判断され、Ｓ．３０１６に移行して巻き上げ途中フラグをセットし、Ｓ．３０１７に移行してダウンカウンタ２３に残っている数値がメモリ２４にいったん記憶される。そして、フィルム給送処理にリターンする。
【０１０８】
Ｓ．３００９においてパルスカウントチェック処理に入ると、ダウンカウンタ２３の内容が減算され、ワインドパルス数がカウントされると、Ｓ．２００３でパルスカウント終了フラグが「１」にセットされ、フィルムインターラプタがオフされ、フィルム係止処理が実行されて、フィルム駒数がカウントアップされる。
【０１０９】
巻き上げレバー２を最大角度巻き上げると、巻き上げ完了スイッチＳＷ３がオフされると共に、シャッターチャージが為される。また、ワインドパルス数分のパルスがカウントされた時点でフィルム係止が実行される。
【０１１０】
このワインド処理実行後、メインフローの実行中に、図６に示すボディ状態チェック処理に入ると、Ｓ．２２１でノーと判断され、Ｓ．２２３でイエスと判断されて、Ｓ．２２３においてレリーズ許可フラグがセットされ、Ｓ．２２９に移行して巻き上げロック解除許可フラグが「１」であるか否かが判断される。
【０１１１】
巻き上げロック解除許可フラグは「１」にセットされているので、Ｓ．２３０に移行するが、レリーズ許可フラグが「１」にセットされているので、巻き上げロック解除処理は行われずにメインフローにリターンし、これにより二重巻き上げが防止される。
【０１１２】
このようにして、撮影が実行されて、定められた枚数の撮影が実行され、フィルム巻き取り処理が行われる。
（４）フィルム巻き取り処理
メインフローの実行中に、撮影が実行されてフィルム２２の残りがなくなると、図６のボディ状態チェック処理に入ったときに、Ｓ．２１０においてイエスと判断されて、Ｓ．２１１に移行し、ＣＰＵ８は巻き上げ完了スイッチＳＷ３がオンか否かを判断する。
【０１１３】
シャッター走行により巻き上げ完了スイッチＳＷ３はオンしているので、Ｓ．２１１においてイエスと判断され、Ｓ．２１２に移行してボディ状態フラグを全てクリアし、Ｓ．２１３に移行し、巻き取り中フラグを「１」にセットして、Ｓ．２１４に移行する。
【０１１４】
レリーズ処理によりレリーズ許可フラグはクリアされるので、ボディ状態チェック処理のＳ．２３０においてノーと判断されて、Ｓ．２３１〜Ｓ．２３３の処理が実行されて、巻き上げレバー２のロックが解除される。
【０１１５】
メインフローの実行中に、図５のフィルム給送移行チェック処理に入ると、Ｓ．１０３において、イエスと判断されて、Ｓ．１０７のフィルム給送処理に入り、図７のＳ．３０６においてイエスと判断されて、Ｓ．３１３において巻き取り処理を実行する。
【０１１６】
Ｓ．３１３の巻き取り処理では、図１２に示すように、まず、Ｓ．４００１でフィルムパルスエラーフラグをクリアし、フィルムインターラプタをオンさせ（Ｓ．４００２）、次に、Ｓ．４００３において、ダウンカウンタ２３にフィルムがまだ残っているかの判定に用いるパルス数を設定し、次に、１２５ｍｓタイマーをスタートさせ（Ｓ．４００４）、Ｓ．４００５に移行して予備角スイッチＳＷ１がオフか否かを判断する。
【０１１７】
巻き上げレバー２を巻き上げ操作して収納位置に戻るまでの間は、Ｓ．４００５においてノーと判断されて、Ｓ．４００７に移行する。Ｓ．４００７ではパルスカウント終了フラグが「１」か否かを判断する。
【０１１８】
最初は、パルスカウント終了フラグはクリアされているので、Ｓ．４００７においてノーと判断され、次に、Ｓ．４００８に移行してダウンカウンタ２３が「０」か否かを判断する。Ｓ．４００７においてパルスカウント終了フラグがセットされているときは、Ｓ．４００８〜Ｓ．４０１０の処理をジャンプしてＳ．４０１１に移行する。Ｓ．４００８においてダウンカウンタ２３の内容が「０」でないときにはＳ．４００９、Ｓ．４０１０をジャンプしてＳ．４０１１に移行する。Ｓ．４００８でダウンカウンタ２３の内容が「０」のときには、Ｓ．４００９においてパルスカウント終了フラグをセットして、フィルムインターラプタをオフしてＳ．４０１１に移行する。
【０１１９】
Ｓ．４０１１〜Ｓ．４０１５の表示処理はＳ．３００９〜Ｓ．３０１４の表示処理に対応しているので、その説明は省略する。
【０１２０】
巻き上げレバー２の操作により巻き上げが行われ、予備角スイッチＳＷ１がオフすると、Ｓ．４００５においてイエスと判断され、巻き上げレバー２の操作によりシャッターチャージが為されていると、巻き上げ完了スイッチＳＷ３がオフされているので、Ｓ．４００６においてイエスと判断され、Ｓ．４０１６に移行してパルスカウント終了フラグが「１」にセットされたか否かが判断される。
【０１２１】
Ｓ．４０１６において、イエスのときはフィルム給送処理にそのままリターンし、Ｓ．４０１６においてノーのときはＳ．４１０７に移行してボディ状態フラグを全てクリアして、巻き取り完了フラグをセットしてフィルム給送処理にリターンする（Ｓ．４１０８）。
【０１２２】
Ｓ．４０１６でパルスカウント終了フラグが「１」か否かを判断することにしたのは、１回の巻き上げで規定パルスカウントが終了していればフィルムがまだ残っていると考えられるので巻き取りを続行し、パルスカウントが終了していなければフィルムの巻き取りが完了していると考えられるので後述の空巻き処理を実行させるためである。
【０１２３】
巻き上げレバー２の操作によりシャッターチャージが為され、巻き上げ完了スイッチＳＷ３がオフしており、レリーズ許可フラグはクリアされているので、ＣＰＵ８はメイン処理フローの実行中にボディ状態チェック処理フローに入ると、Ｓ．２３１〜Ｓ．２３３において巻き上げロック解除処理を行い、メインフローにリターンする。
【０１２４】
そして、このメインフローの実行中に、フィルム給送移行チェック処理に入ると、Ｓ．１０４において、巻き取り完了フラグが「１」であるか否かを判断し、Ｓ．１０４においてイエスのときには、Ｓ．１０７に移行してフィルム給送処理に入り、図７のＳ．３０７においてイエスと判断して、Ｓ．３１４の空巻き処理を実行する。この空巻き処理についてはすでに説明したので、その説明は割愛する。
（５）フィルムをセットしない場合の頭出し処理
ＣＰＵ８はメインフローの実行中に、Ｓ．９のボディ状態チェック処理（図６参照）に入り、裏蓋６が閉じられると、Ｓ．２０１においてノーと判断し、Ｓ．２０７に移行して前回裏蓋スイッチＳＷが開であったか否かを判断し、Ｓ．２０７においてイエスと判断し、Ｓ．２０８に移行してボディ状態フラグを全てクリアし、Ｓ．２０９に移行して頭出しフラグを「１」にセットし、Ｓ．２１０に移行してその後の処理を実行する。
【０１２５】
Ｓ．２１０以降の処理においては、頭出し中フラグが「１」にセットされているので、Ｓ．２２８においてレリーズ許可フラグがクリアされ、従って、頭出し処理中はレリーズが禁止される。
【０１２６】
メインフローに戻っての処理実行中に、ＣＰＵ８はＳ．８、Ｓ．１３のフィルム給送移行チェック処理（図５参照）に入る。巻き上げレバー２の操作により、予備角スイッチＳＷ１がオンすると、Ｓ．１０２においてイエスと判断されて、Ｓ．１０７のフィルム給送処理に入り、図７のＳ．３０３でイエスと判断されて、Ｓ３１０の頭出し処理が実行される。
【０１２７】
頭出し処理（図９参照）のＳ．４０１〜Ｓ．４１５についてはすでに説明したので、異なる部分についてのみ説明する。この頭出し処理実行中にＳ．４０９において、図１０に示すフィルムカウントパルスチェック処理を行うが、フィルムが装填されていないため、パルスは規定量発生しない。
【０１２８】
従って、ダウンカウンタ２３の内容が「０」となることはなく、かつ、パルスカウント終了フラグが「１」に設定されることもない。従ってフィルム係止処理も実行されることがない。
【０１２９】
よって、巻き上げレバー２が戻ると、Ｓ．４１５において、ノーと判断され、Ｓ．４１６に移行して巻き上げ途中フラグをセットし、Ｓ．４１７に移行してダウンカウンタ２３に残っている数値がメモリ２４にいったん記憶される。
【０１３０】
次に、ＣＰＵ８はＳ．４１８に移行してレバー１巻きありフラグがセットされているか否かを判断する。裏蓋６を閉めた直後の巻き上げレバー２の巻き上げ操作を行ったときが第１回目の巻き上げと判断され、レバー１巻きありフラグはクリアされているので、Ｓ．４１８においてノーと判断され、Ｓ．４２４に移行してレバー１巻き有りフラグをセットして、Ｓ．３１０のフィルム給送処理にリターンし、Ｓ．３０８に移行してフィルムインターラプタをオフしてフィルム給送移行チェック処理に戻ってからメインフローにリターンする。なお、巻き上げレバー２が収納位置にないときから巻き上げを行ったときも同様に第１回目の巻き上げとされる。
【０１３１】
ＣＰＵ８はメインフローの実行中に再び頭出し処理に入ると、Ｓ．４０１、Ｓ．４０２の処理を行った後、Ｓ．４０３に移行して巻き上げ途中フラグが「１」であるか否かを判断する。第１回目の巻き上げで、巻き上げ途中フラグは「１」にセットされているので、Ｓ．４０３においてイエスと判断され、Ｓ．４０５に移行して、メモリ２４に記憶されていた残りの数値がダウンカウンタ２３に設定される。
【０１３２】
次に、ＣＰＵ８はＳ．４０６〜Ｓ．４１４の処理の繰り返し実行中に巻き上げレバー２が戻ると、Ｓ．４１５以降の処理を実行する。このＳ．４１５以降の処理ではＳ．４１８においてレバー１巻き有りフラグがセットされているので、Ｓ．４１８においてイエスと判断され、Ｓ．４１９に移行して規定量個数以上ののパルスが発生したか否かが判断される。
【０１３３】
フィルム２２はセットされていないので規定量個数個数以上のパルスが発生することはあり得ず、Ｓ．４１９においてノーと判断され、Ｓ．４２０に移行してボディ状態フラグを全てクリアし、Ｓ．４２１に移行してフィルムなしフラグをセットして、フィルム給送処理にリターンする。
【０１３４】
このＳ．４１９〜Ｓ．４２１のルートを通ることにより、頭出しフラグがクリアされるので、フィルム２２がセットされていないときには巻き上げレバー２を少なくとも２回巻き上げることにより、頭出し処理から抜け、撮影が実行できる状態になる。Ｓ．４１９〜Ｓ．４２１のルートはフィルムの有無を検出するフィルム有無検出手段としての役割を果たす。
【０１３５】
従って、図１４（ａ）に示すように、フィルム２２がないときに第１回目の巻き上げ操作を行ってもパルスは発生せず、巻き上げレバー２が収納位置に戻ると巻き上げロック解除マグネットＭｇ３に通電されて巻き上げロックが解除される。また、図１４（ｂ）に示すように第２回目の巻き上げ操作でもパルスが発生しないためフィルム係止処理が実行されない。
【０１３６】
メインフローに戻っての処理実行中に、レリーズスイッチがオンされると、Ｓ．２４においてイエスと判断され、レリーズ処理を行ってＳ．２６以降の処理を行う。Ｓ．２３〜Ｓ．２６のルートは撮影実行に対応し、これによりシャッター幕が走行されて、巻き上げ完了スイッチＳＷ３がオンされる。
【０１３７】
このメインフローの実行中に、ボディ状態チェック処理に（図６参照）入ると、Ｓ．２１８で今回巻き上げ完了スイッチＳＷ３がオンと判断されてＳ．２１９に移行し、Ｓ．２１９では前回巻き上げ完了スイッチＳＷ３がオフであったのでイエスと判断されて巻き上げロック解除許可フラグがセットされる。
【０１３８】
次に、Ｓ．２２１では巻き上げ完了スイッチＳＷ３がオンであるので、Ｓ．２２２、Ｓ．２２３の処理をジャンプしてＳ．２２４に移行するため、レリーズ許可フラグのセットが禁止される。
【０１３９】
そして、Ｓ．２２４〜Ｓ．２２７の処理を行った後、Ｓ．２２９に移行して巻き上げロック解除許可フラグが「１」であるか否かが判断される。Ｓ．２２９においてはイエスと判断されて、Ｓ．２３０に移行し、Ｓ．２３０ではノーと判断されてＳ．２３１〜Ｓ．２３３の処理を行ってメインフローに戻る。これにより、巻き上げロック解除処理が行われて巻き上げレバー２の巻き上げが可能となる。
【０１４０】
メインフローに戻っての処理実行中に、巻き上げレバー２を操作すると、フィルム給送移行チェック処理のＳ．１０６においてイエスと判断されて、図７のフィルム給送処理に入り、フィルム給送処理のＳ．３０４においてイエスと判断されて図８の空巻き処理が実行される。
【０１４１】
図８の空巻き処理に入るとパルス発生手段１２としてのフィルムインターラプタの作動が禁止されるので節電が図られる。この空巻き処理はパルス発生手段１２の作動を禁止する役割を果たす。
【０１４２】
巻き上げレバー２の操作によりシャッターチャージが為されると、再び、レリーズ許可フラグがセットされてレリーズが可能となり、フィルムがない場合に裏蓋６を閉じて、巻き上げレバー２を少なくとも２回巻き上げると、以後はレリーズが可能となる。
【０１４３】
【発明の効果】
請求項１ないし請求項３に記載の発明によれば、機械的なフィルム有無検出スイッチを専用に設けなくともソフトウエア的にフィルム有無を検出することができる。
【０１４４】
請求項４に記載の発明によれば、更に、フィルムがないときにはフィルム係止処理を行わずにレリーズが可能となるので節電が図られると共に、使い勝手が便利である。
【０１４５】
請求項５に記載の発明によれば、フィルムがないときにはパルス発生手段の作動が禁止されるので、節電を図ることができる。
【０１４６】
請求項６に記載の発明によれば、フィルムがセットされているときには、頭出し処理でフィルムの１駒目がアパーチャーに位置されるまで巻き上げレバーの巻き上げが可能となり、かつ、その間はレリーズが禁止されるので使い勝手が便利である。
【０１４７】
請求項７に記載の発明によれば、裏蓋が開いた状態下においては、シャッターレリーズが禁止された状態でフィルム巻き上げが可能となり、フィルムを位置決め指標に合わせるまでレリーズ動作を行うことなくフィルムを送ることができ、また、このフィルム巻き上げ動作の際において不本意なレリーズによる露光が防止される。
【図面の簡単な説明】
【図１】本発明に係るフィルム巻き上げ手動式カメラの平面図である。
【図２】本発明に係るフィルム巻き上げ手動式カメラの制御回路を示すブロック図である。
【図３】本発明に係るフィルム巻き上げ手動式カメラの部分分解斜視図である。
【図４】本発明に係るフィルム巻き上げ手動式カメラのメインフロー図である。
【図５】本発明に係るフィルム巻き上げ手動式カメラのフィルム給送移行チェックフロー図である。
【図６】本発明に係るフィルム巻き上げ手動式カメラのボディ状態チェックフロー図である。
【図７】本発明に係るフィルム巻き上げ手動式カメラのフィルム給送処理のフロー図である。
【図８】本発明に係るフィルム巻き上げ手動式カメラの空巻き処理のフロー図である。
【図９】本発明に係るフィルム巻き上げ手動式カメラの頭出し処理のフロー図である。
【図１０】本発明に係るフィルム巻き上げ手動式カメラのフィルムパルスカウントチェック処理のフロー図である。
【図１１】本発明に係るフィルム巻き上げ手動式カメラのワインド処理のフロー図である。
【図１２】本発明に係るフィルム巻き上げ手動式カメラの巻き取り処理のフロー図である。
【図１３】フィルムがセットされている状態の頭出し処理のシーケンスを説明するための図であって、（ａ）は第１回目の巻き上げから複数回の巻き上げを行うことに基づくパルスの発生状態を示し、（ｂ）は頭出しの終わりの最後の１回目の巻き上げに基づくパルスの発生状態を示す。
【図１４】フィルムがセットされていない状態の頭出し処理のシーケンスを説明するための図であって、（ａ）は第１回目の巻き上げに基づくパルスの状態を示し、（ｂ）は第２回目の巻き上げに基づくパルスの状態を示す。
【符号の説明】
１…カメラボディ
２…巻き上げレバー
６…裏蓋
８…ＣＰＵ
１２…パルス発生手段
２２…フィルム
ＳＷ…裏蓋開閉検出手段（裏蓋開閉検出スイッチ）
【図１】
0003579625.tif 000002
【図２】
0003579625.tif 000003
【図３】
0003579625.tif 000004
【図４】
0003579625.tif 000005
【図５】
0003579625.tif 000006
【図６】
0003579625.tif 000007
【図７】
0003579625.tif 000008
【図８】
0003579625.tif 000009
【図９】
0003579625.tif 000010
【図１０】
0003579625.tif 000011
【図１１】
0003579625.tif 000012
【図１２】
0003579625.tif 000013
【図１３】
0003579625.tif 000014
【図１４】
0003579625.tif 000015